(57)【要約】  【課題】揺動動作可能な構成を有してもコンパクトにし得る転写具を提供する。  【解決手段】転写具Ａは、転写ヘッド２をローリング軸Ｒ回りに揺動し得るようにして転写具本体１に支持させる支持機構Ｘが、転写ヘッド２に設けられローリング軸Ｒに直交する後述する受入隙間２２１を有してなる第1部材たる転写ヘッド２と、転写具本体１側に設けられ、受入隙間２２１に挿入され該受入隙間２２１の対向する内側面２２１ａ、２２１ｂに沿って相対的に揺動可能な挿入壁１３２を有してなる第２部材たる動作アーム１３とを備え、転写ヘッド２の受入隙間２２１内に、挿入壁１３２がローリング軸Ｒ回りに揺動し得るように位置規制する内側面２２１ａ、２２１ｂの離間寸法に対応した支点部材２２２を設けていることを特徴とする。  【選択図】図５
2010023264.tif 000002
【特許請求の範囲】
【請求項１】
転写具本体と、この転写具本体から突出する転写ヘッドと、この転写ヘッドをローリング軸回りに揺動し得るようにして前記転写具本体に支持させる支持機構とを具備してなるものであって、
前記支持機構が、前記転写ヘッドおよび前記転写具本体の何れか一方に設けられ前記ローリング軸に直交する受入隙間を有してなる第1部材と、この第１部材の受入隙間に挿入され該受入隙間の対向する内側面に沿って相対的に揺動可能な挿入壁を有してなる第２部材とを備えたものであり、前記第１部材の受入隙間内に、前記挿入壁が前記ローリング軸回りに揺動し得るように位置規制する前記隙間の離間寸法に対応した支点部材を設けていることを特徴とする転写具。
【請求項２】
前記支点部材が、前記第１部材に一体に設けられたものであり、この支点部材によって前記受入隙間の内側面同士を結合している請求項１記載の転写具。
【請求項３】
前記転写ヘッドを、前記第１部材としている請求項１又は２記載の転写具。
【請求項４】
前記支点部材が、前記受入隙間の内側面に直交配置したリブ状のものであり、前記支点部材の先端縁を前記ローリング軸を中心とする半円筒形状のものにし、この先端縁に前記挿入壁の挿入縁に設けた凹陥部を揺動可能に係り合わせている請求項１、２又は３記載の転写具。
【請求項５】
前記受入隙間外に、前記挿入壁が前記支点部材から離脱するのを防止する抜止要素を設けている請求項１、２、３又は４記載の転写具。
【請求項６】
前記第２部材が、挿入壁に対して平行に起立する外壁をさらに設け、前記抜止要素を前記外壁に係り合うものとしている請求項５記載の転写具。
【請求項７】
前記挿入壁を、上側から前記受入隙間に挿入するものとしている請求項１、２、３、４、５又は６記載の転写具。
【請求項８】
前記支持機構を、前記転写具本体に設けられ転写ヘッドを転写可能に配置する転写位置と、転写ヘッドを転写具本体内に収容し得る収容位置との間で収容し得る収容位置との間で動作し得る動作アームに前記第１部材又は前記第２部材の何れか一方を設けたものとしている請求項１、２、３、４、５、６又は７記載の転写具。
【請求項９】
前記転写ヘッドを収容位置とした際に交換部品を交換し得るように構成している請求項７記載の転写具。
【請求項１０】
前記転写ヘッドを、当該転写ヘッドの転写端から基端側に変位した位置に設定された軸心周りに幅方向に首振動作可能に構成したものとしている請求項１、２、３、４、５、６、７、８又は９記載の転写具。
【請求項１１】
前記転写ヘッドを、先端において転写物を転写する転写端を有するヘッド本体と、当該ヘッド本体を支持するヘッド取付部とを有するものとし、前記ヘッド本体を前記ヘッド取付部に対して首振動作可能に構成している請求項１０記載の転写具。
【請求項１２】
前記転写具本体と前記ヘッド取付部との間に前記支持機構を設けるとともに、
ヘッド本体の転写端がローリング軸の軸心を延出させた仮想の軸線よりも下側に配置されるものとしている請求項１１記載の転写具。
【発明の詳細な説明】
【技術分野】
【０００１】
本発明は、粘着剤や修正剤の転写物を紙などに転写し得る転写具に関するものである。
【背景技術】
【０００２】
従来、テープに塗布された修正剤や粘着剤といった転写物を紙などの対象物へ転写し得る転写具が種々提案されている。
【０００３】
これらのものは、転写具本体を手で掴んだ状態で対象物へ転写ヘッドを押し付けることにより、転写ヘッドの先端において支持されたテープから転写物が転写されるものである。これらのようなもののなかで、たとえば、転写ヘッドの先端において、テープに塗布された転写物がテープの全幅において確実に対象物へ転写できるように、転写具本体に対してヘッドが所定範囲、テープ並びに転写ヘッドの延出方向をローリング軸として揺動し得る構成が採用されたものが提案されている（例えば、特許文献１及び特許文献２参照）。
【０００４】
特許文献１に記載のものは、転写具本体に取り付けられたローリング軸に沿って設けられた転写ヘッドの一部がねじれるように弾性変形することにより、転写具本体に対して転写ヘッドの先端が弾性変形の範囲で動き得るものも提案されている。このような揺動動作により、転写開始時或いは転写動作中の手指のずれや細かな動きなどで転写物が正確な形状で転写されなくなること、具体的にはテープの幅寸法よりも細い範囲でしか転写物を転写し得ないという不具合を回避し得るものとなっている。
【０００５】
他方、特許文献２に記載のものは、転写ヘッドのローリング軸に直交する方向に開口を設け、転写具本体に設けた突起に前記開口を挿通させることにより、突起が転写ヘッドを支持しつつ、突起に対して接する開口内壁の形状を設定することによって、転写ヘッドが突起に支持されながらローリング軸周りに回動し得るものとなっている。このようなものであっても、上述の手指のずれや細かな動きを、上述の回転範囲で許容し得るものとなっている。
【特許文献１】特開２００６−２８１４９５号公報
【特許文献２】特開２００３−２５２２号公報
【発明の開示】
【発明が解決しようとする課題】
【０００６】
しかしながら、特許文献１に記載されたもののように弾性変形を利用して転写ヘッドを手指の動きを十分に許容し得るまでに動作させ得る構成とするためには、転写具本体に固定され且つ弾性変形する部位の寸法、特にローリング軸方向の寸法を大きく設けなければならない。
【０００７】
他方、特許文献２に記載したような回転動作し得るものであると、突起に対して転写ヘッドがローリング軸周りのみの動作をするような開口内壁の形状とした場合、特に突起を中心とした転写ヘッドの不必要な動作を回避するためには、転写ヘッドに設けた開口のローリング軸に沿った寸法を大きく設定するか、或いは開口以外の箇所にさらに転写具本体に支持されるための箇所を設けなければならない。そうなると上述の特許文献１同様に、ローリング軸方向の寸法を大きく設けなければならない。
【０００８】
本発明は、このような不具合に着目したものであり、揺動動作可能な構成を有してもコンパクトにし得る転写具を提供する。
【課題を解決するための手段】
【０００９】
本発明は、このような目的を達成するために、次のような手段を講じたものである。すなわち、本発明に係る転写具は、転写具本体と、この転写具本体から突出する転写ヘッドと、この転写ヘッドをローリング軸回りに揺動し得るようにして前記転写具本体に支持させる支持機構とを具備してなるものであって、前記支持機構が、前記転写ヘッドおよび前記転写具本体の何れか一方に設けられ前記ローリング軸に直交する受入隙間を有してなる第1部材と、この第１部材の受入隙間に挿入され該受入隙間の対向する内側面に沿って相対的に揺動可能な挿入壁を有してなる第２部材とを備えたものであり、前記第１部材の受入隙間内に、前記挿入壁が前記ローリング軸回りに揺動し得るように位置規制する前記隙間の離間寸法に対応した支点部材を設けていることを特徴とする。
【００１０】
ここで、上記受入隙間というように「隙間」とは、ヘッドの延伸方向よりも当該延長方向に直交する方向の寸法が大きい開口又は切欠を指すものとする。
【００１１】
このようなものであれば、受入隙間に挿入壁が挿入する際に、ローリング軸周りの動作を支点部材と挿入壁により実現するのみならず、揺動動作以外の動作の際には受入隙間の内側面を挿入壁とが当接することにより有効に防止する構成とすることができる。そのため、揺動のために必要な転写ヘッドの寸法は受入隙間の離間寸法のみによって実現されるので、転写ヘッドを、とくにテープの延出方向にコンパクトに設定し得るものとなる。そうすることにより、転写物の転写の確実性を維持しつつ、転写ヘッドに他の方向の動作性能を付与したり、交換部品の交換のための転写ヘッドを例えば転写具本体内に退避させたりするといった態様を容易に実現することができる。
【００１２】
そして、支点部材により、さらに強度の高い支持機構を実現するためには、支点部材を、第１部材に一体に設けたものとし、この支点部材によって受入隙間の内側面同士を結合することが望ましい。そして、よりコンパクトに転写ヘッドを構成するためには、第１部材の方を転写ヘッドとする構成が望ましい。
【００１３】
よりスムーズな揺動動作を実現するための具体的な構成として、支点部材を、受入隙間の内側面に直交配置したリブ状のものとし、支点部材の先端縁をローリング軸を中心とする半円筒形状のものにして、この先端縁に挿入壁の挿入縁に設けた凹陥部を揺動可能に係り合わせている構成を挙げることができる。
【００１４】
そして支持機構における転写具本体と転写ヘッドとの係り合いをより確実なものとするためには、受入隙間外に、挿入壁が支点部材から離脱するのを防止する抜止要素を設けることが望ましい。
【００１５】
加えて、第２部材が、挿入壁に対して平行に起立する外壁をさらに設け、抜止要素を外壁に係り合うものとすれば、強度の高いものとすることができるので、受入隙間の離間寸法や挿入壁の厚み寸法をより小さくコンパクトに構成しても十分な強度並びに安定した揺動を実現することができる。
【００１６】
そして、転写の際に掛かる押圧力などの転写時の操作力に対して好適に耐え得るものとするためには、挿入壁が、上側から受入隙間に挿入するものとして、転写時に掛かる下側からの操作力を受けると、支点部材と挿入壁との係り合いがより強くなる構成とすればよい。
【００１７】
そして、上述の構成を利用して、支持機構を、転写具本体に設けられ転写ヘッドを転写可能に配置する転写位置と、転写ヘッドを転写具本体内に収容し得る収容位置との間で動作し得る動作アームに第１部材又は第２部材を設けたものとすれば、転写ヘッドの動作範囲をよりコンパクトなものとすることができ、その結果、転写ヘッドを収容位置とした際の交換部品の交換にも好適に対応し得るものとなる。
【００１８】
そして、転写時により安定して転写物を転写するための構成として、さらに、転写ヘッドの転写端から基端側に変位した位置に設定された軸心周りに幅方向に首振動作可能に構成したものを挙げることができる。そのための具体的な構成としては、転写ヘッドが先端において転写物を転写する転写端を有するヘッド本体と、当該ヘッド本体を支持するヘッド取付部とを有するものであり、ヘッド本体をヘッド取付部に対して首振動作可能に構成したものを挙げることができる。
【００１９】
また首振動作を採用した態様の場合、首振動作によって転写ヘッドに加えられた押圧力が首振動作によって逃げてしまうことを有効に回避して、確実に転写端が転写対象物を押圧し得る構成するためには、転写具本体とヘッド取付部との間に支持機構を設けるとともに、ヘッド本体の転写端がローリング軸の軸心を延出させた仮想の軸線よりも下側に配置されるものとすることが望ましい。
【発明の効果】
【００２０】
本発明によれば、揺動動作以外の動作の際には受入隙間の内側面を挿入壁とが当接することにより有効に防止する構成とすることができる。そのため、揺動のために必要な転写ヘッドの寸法は受入隙間の離間寸法のみによって実現されるので、転写ヘッドを、とくにテープの延出方向にコンパクトなものとすることができる。
【発明を実施するための最良の形態】
【００２１】
以下、本発明の一実施の形態について図面を参照して説明する。なお本実施形態において、転写ヘッド２並びに巻取リールに巻回並びに架け渡している転写テープの図示を省略するものとする。
【００２２】
本実施形態に係る転写具Ａは、テープに転写物としての修正剤を塗布した転写テープを内蔵し、紙などの転写対象物に修正剤を塗布するタイプのものであって、図１に示すように、転写具本体１と、転写ヘッド２とを主に有するものであり、紙などの転写対象物に対して転写具本体１を縦向きにした状態で転写ヘッド２を押圧する、いわゆる縦引きタイプのものである。
【００２３】
転写具本体１は、転写ヘッド２をはじめ主たる機構部品を支持している第１ケース１１と、交換部品であるリフィル１４と、第１ケース１１に係り合う第２ケース１２とを主に有している。
【００２４】
第１ケース１１は、図２及び図３に示すように、当該第１ケース１１の主体をなす第１ケース本体１１０に対し、巻取リール支持部１１１と、介在ギア１１２と、繰出リール支持部１１３と、後に詳述する動作アーム１３とを組み付けてなるものである。第１ケース本体１１０は、内面側に動作アーム１３を回転可能に取り付ける動作アーム取付部１１ａと、動作アーム１３に係り合うことにより転写ヘッド２を転写位置（Ｔ）に位置付けるための転写位置ストッパ１１ｂと、転写ヘッド２に当接して当該転写ヘッド２を収容位置（Ｓ）へ位置決めするための収容位置（Ｓ）と、動作アーム取付部１１ａと同軸に形成され、巻取リール支持部１１１を支持する巻取軸１１ｄと、介在ギア１１２を支持する介在ギア取付軸１１ｅと、繰出リール支持部１１３を支持する繰出軸１１ｆとを有している。そして、巻取リール支持部１１１は、第１ケース１１側において介在ギア１１２に噛合する図示しない巻取ギアを有するとともに、第２ケース１２側において巻取リール１４１を支持しているものである。繰出リール支持部１１３は、第１ケース１１側において介在ギア１１２に噛合する繰出ギアを形成するとともに、第２ケース１２側において繰出リール１４３を支持している。なお本実施形態では、繰出リール支持部１１３と繰出リール１４３とは、をテープが一定以上の力で引っ張られることによって相対的に回転可能に支持することにより、すべり機構を構成している。このすべり機構により、繰出リール１４３から転写ヘッド２を経て巻取リール１４１へと架け渡されるテープが、常に最適な強さの張力を有した状態が維持されるものとなっている。
【００２５】
そして動作アーム１３は、基端部１３０において上述の通り第１ケース本体１１０に形成した動作アーム取付部１１ａに回動可能に取り付けられるとともに先端部１３１において転写ヘッド２を、後述する支持機構Ｘを介して支持する、本発明に係る第２部材を構成するものとなっているが、この動作アーム１３並びに支持機構Ｘの具体的な構成は、後に転写ヘッド２とともに詳述する。
【００２６】
リフィル１４は、巻取リール支持部１１１に支持される巻取リール１４１と、繰出リール支持部１１３に支持される繰出リール１４３と、これらを仮保持する支持板１４０からなる交換部品である。
【００２７】
第２ケース１２は、第２ケース本体１２０を主体とする、主に第１ケース１１に係り合うことによって第１ケース１１とともに転写具本体１の外形を形成するとともにリフィル１４や内部の機構部品を保護するためのものである。また第２ケース本体１２０が第１ケース１１０に係り合うためのヒンジや係合構造については、本実施形態では詳細な説明を省略するものとする。
【００２８】
そして本実施形態では、図３に示すように、転写具本体１において動作アーム１３を回転可能に取り付けることにより、当該動作アーム１３が転写位置ストッパ１１ｂに位置決めされた実線で示す転写位置（Ｔ）と、動作アーム１３が収容位置ストッパ１１ｃにより位置決めされた破線で示す収容位置（Ｓ）との間で回動し得るものとなっている。なお本実施形態に係る転写具Ａは、この収容位置（Ｓ）では、転写ヘッド２は繰出リール１４３と巻取リール１４１との間の空間に位置付けられた状態となる。そしてリフィル１４の交換の際は、まず第１ケース１１と第２ケース１２との係り合いを解除した後、転写ヘッド２を収容位置（Ｓ）としてリフィル１４を交換する。そして再び転写ヘッド２を転写位置（Ｔ）として第２ケース１２を再び第１ケース１１に係り合わせることによって容易にリフィル１４を交換し得るものとなっている。なお本実施形態ではリフィル１４は支持板１４０ごと両ケース１１、１２内に収容される構成を開示したが、このリフィル１４を取り付けた後、支持板１４０を取り外して繰出リール１４３及び巻取リール１４１のみを両ケース１１、１２内に収容する態様としても良い。
【００２９】
ここで、本実施形態に係る転写具Ａは、図４乃至図８に示すように、転写ヘッド２をローリング軸Ｒ回りに揺動し得るようにして転写具本体１に支持させる支持機構Ｘを具備してなるものである。具体的には、この支持機構Ｘが、転写ヘッド２に設けられローリング軸Ｒに直交する後述する受入隙間２２１を有してなる第1部材たる転写ヘッド２と、転写具本体１側に設けられ、受入隙間２２１に挿入され該受入隙間２２１の対向する内側面２２１ａ、２２１ｂに沿って相対的に揺動可能な挿入壁１３２を有してなる第２部材たる動作アーム１３とを備え、転写ヘッド２の受入隙間２２１内に、挿入壁１３２がローリング軸Ｒ回りに揺動し得るように位置規制する内側面２２１ａ、２２１ｂの離間寸法に対応した支点部材２２２を設けていることを特徴とするものである。
【００３０】
以下に、支持機構Ｘを構成する転写ヘッド２及び動作アーム１３の構成及び動作について図４乃至図８を用いて説明する。ここで、図４（ｂ）はヘッド取付部２２の一部を破断して示した図である。また、図６（ａ）及び（ｂ）は、図５に係るＩ―Ｉ線及びＩＩ−ＩＩ線断面図であり、図７及び図８は、図６に対応させた動作説明図である。
【００３１】
動作アーム１３は、上述の通り、第１ケース１１に回転可能に取り付けられる基端部１３０と、転写ヘッド２を支持する先端部１３１とを有している。
【００３２】
そして先端部１３１は、上側から受入隙間２２１に挿入可能な挿入壁１３２と、挿入壁１３２と平行に立設された外壁１３３とを有している。挿入壁１３２は、厚み寸法が受入隙間２２１の後述する内側面２２１ａ、２２１ｂ間の寸法に略対応するように設けられ、両側から湾曲し下方へ湾曲しながら突出して後述の内側底面２２１ｃに当接且つ摺動する当接面１３２ｃと、当該当接面１３２ｃの中央の挿入端において上方に凹ませた形状とした凹陥部１３２ａを形成している。また挿入壁１３２は、受入隙間２２１の内側で第２抜止要素２２４に係り合う第２係合面１３２ｂを有している。外壁１３３は、基端側からヘッド取付部２２に係り合うように、挿入壁１３２と平行に立設したものであり、受入隙間２２１の外側で抜止要素２２３に係り合う曲面である係合面１３３ａと、転写ヘッド２の揺動時の抜止要素２２３の揺動動作を許容する図６乃至図８に示す揺動空間１３４とを有している。
【００３３】
転写ヘッド２は、先端において転写物を転写する転写端２１ａを有するヘッド本体２１と、動作アーム１３に対しローリング軸Ｒ周りの揺動動作が可能に支持されるとともにヘッド本体２１を首振動作可能に支持するヘッド取付部２２とを有するものである。
【００３４】
ヘッド取付部２２は、ローリング軸Ｒに直交する方向に形成した受入隙間２２１と、受入隙間２２１の内側面２２１ａ、２２１ｂ同士を結合するように内側底面２２１ｃから隆起させて設けた支点部材２２２と、受入隙間２２１の外側において挿入壁１３２の抜脱を禁止する抜止要素２２３と、受入隙間２２１の内側において挿入壁１３２の抜脱を禁止する第２抜止要素２２４と、ヘッド本体２１を挿入するヘッド本体２１挿入穴２２５と、幅方向に首振動作を行ったヘッド本体２１を弾性付勢する一対の弾性付勢部２２６と、ヘッド本体２１に当接することにより首振動作を案内する首振面２２７とを有している。支点部材２２２は、受入隙間２２１の下端中央において内側面２２１ａ、２２１ｂから一体に連続させて形成したリブ状のものであり、先端縁２２２ａを半円筒形状に形成することにより、挿入壁１３２の挿入縁に設けた凹陥部１３２ａを揺動可能に係り合うものとなっている。抜止要素２２３及び第２抜止要素２２４は、動作アーム１３側に設けた係合面１３３ａ及び第２係合面１３２ｂにそれぞれ係り合う抜止面２２３ａ及び第２抜止面２２４ａを有している。
【００３５】
ヘッド本体２１は、ヘッド取付部２２の挿入穴２２５へ挿入する箇所である挿入部２１１と、挿入部２１１を挿入した際に首振面２２７に対して当接し摺動し得る当接面２１２とを有しており、当接面２１２が首振面２２７に沿って摺動すると、ヘッド本体２１は、図５に示すヨーイング軸である首振軸Ｙを中心に首振動作することが可能となっている。
【００３６】
そして本実施形態では、図５に示すように、ヘッド本体２１が首振動作する中心は、当該転写ヘッド２の転写端２１ａから基端側に変位した位置となっている。そして併せてヘッド本体２１の首振動作を行う中心は、支持機構Ｘにより揺動動作する中心位置よりも転写ヘッド２の先端側に設けたものとなっている。更に本実施形態では、ヘッド本体２１の転写端２１ａは、同図に示すように、ローリング軸Ｒ、詳細にはローリング軸Ｒを延伸させた仮想の軸線よりも下側に配置されるものとしている。
【００３７】
しかして本実施形態では、支持機構Ｘを設けることにより、図６（ａ）及び図６（ｂ）に示した状態から、図７（ａ）、図７（ｂ）、図８（ａ）及び図８（ｂ）に示すような揺動動作をし得るものとなっている。具体的には同図に示すように、受入隙間２２１に上側から挿入された挿入壁１３２の凹陥部１３２ａが支点部材２２２の先端縁２２２ａの表面に沿って回転動作し、且つ、挿入壁１３２の当接面１３２と受入隙間２２１の内側底面２２１ｃとが相対的に摺動することにより、安定したローリング軸Ｒ周りの揺動動作を実現している。またその際、抜止要素２２３は揺動空間１３４内を揺動するため、抜止面２２３ａが動作アーム１３側の係り合い面１３３ａに干渉することなく、結果として先端縁２２２ａと凹陥部１３２ａとの摺動によるスムーズな揺動動作が可能なものなっている。そして図示しないが、第２抜止要素２２４についても同様に、第２抜止面２２４ａは第２係合面１３２ｂに干渉することなく、スムーズな揺動動作に寄与している。
【００３８】
以上のような構成とすることにより、本実施形態に係る転写具Ａは、受入隙間２２１に挿入壁１３２が挿入する際に、ローリング軸Ｒ周りの動作を支点部材２２２と挿入壁１３２により実現するのみならず、揺動動作以外の動作の際には受入隙間２２１の内側面２２１ａ、２２１ｂと挿入壁１３２とが当接することにより有効に防止する構成とすることができる。そのため、揺動のために必要な転写ヘッド２の寸法は受入隙間２２１の離間寸法のみによって実現されるので、転写ヘッド２を、とくにテープの延出方向にコンパクトに設定し得るものとなる。そうることにより、転写物の転写の確実性を維持しつつ、転写ヘッド２に他の方向の動作性能を付与したり、交換部品の交換のための転写ヘッド２を例えば転写具本体１内に退避させるということを実現している。
【００３９】
さらに強度の高い支持機構Ｘを実現するために本実施形態では、支点部材２２２を、第１部材に一体に設けたものとし、この支点部材２２２によって受入隙間２２１の内側面２２１ａ、２２１ｂ同士を結合したものとしている。そして、外力が直接加わる転写ヘッド２をコンパクトなものとしながらも強度の高い構成とするために、受入隙間２２１の内側面２２１ａ、２２１ｂ同士を結合する構造を採用した第１部材を転写ヘッド２としている。
【００４０】
支点部材２２２を、隙間の内側面２２１ａ、２２１ｂに直交配置したリブ状のものとし、支点部材２２２の先端縁２２２ａをローリング軸Ｒを中心とする半円筒形状のものにして、この先端縁２２２ａに挿入壁１３２の挿入縁に設けた凹陥部１３２ａを揺動可能に係り合わせている構成により、スムーズな揺動動作を実現している。
【００４１】
そして支持機構Ｘにおける転写具本体１と転写ヘッド２との係り合いをより確実なものとするために、受入隙間２２１外に、挿入壁１３２が支点部材２２２から離脱するのを防止する抜止要素２２３を設けたものとしている。
【００４２】
加えて挿入壁１３２に対して平行に起立する外壁１３３をさらに設けることにより、抜止要素２２３を外壁１３３に係り合う構成を実現して、より強度の高いものとしている。
【００４３】
転写時の操作力に対して好適に耐え得るものとするために本実施形態では、挿入壁１３２が、上側から受入隙間２２１に挿入するものとして、転写時に掛かる下側からの操作力を受けると、支点部材２２２と挿入壁１３２との係り合いがより強くなる構成ととしている。
【００４４】
そして、上述の構成を利用して、支持機構Ｘを、転写具本体１に設けられ転写ヘッド２を転写可能に配置する転写位置（Ｔ）と、転写ヘッド２を転写具本体１内に収容し得る収容位置（Ｓ）との間で動作し得る動作アーム１３に本実施形態に係る転写ヘッド２を支持させて、転写ヘッド２の動作範囲をよりコンパクトなものとした転写具Ａを実現している。その結果、転写ヘッド２を収容位置（Ｓ）とした際の交換部品の交換もスムーズに行い得るものとなっている。
【００４５】
そして、転写時に手指の動作のぶれをより有効に吸収して安定した転写をすべく、本実施形態に係る転写具は、さらに転写端２１ａから基端側に変位した位置に設定された軸心周りに幅方向に首振動作可能に構成している。すなわち転写ヘッド２をヘッド本体２１とヘッド取付部２２とから構成し、ヘッド本体２１をヘッド取付部２２に対して首振動作可能に構成したものとしている。
【００４６】
特に本実施形態では、ヘッド本体２１の転写端２１ａをローリング軸Ｒの軸心を延出させた仮想の軸線よりも下側に配置することによって、転写時に転写ヘッド２に加えられた押圧力が首振動作によって逃げてしまうことを有効に回避することで、転写端２１ａが確実に転写対象物を押圧し得るものとしている。
【００４７】
以上、本発明の実施形態について説明したが、各部の具体的な構成は、上述した実施形態のみに限定されるものではなく、本発明の趣旨を逸脱しない範囲で種々変形が可能である。
【００４８】
例えば、上記実施形態では縦引きの転写具に本発明を適用したが、巻取軸からテープを９０度回転させることによって転写具本体を横向きに寝かせて転写する、いわゆる横引き式の転写具に適用してもよい。また、上記実施形態では修正剤を転写する転写具について説明したが、勿論粘着剤を転写する転写具に本発明を手寄与しても良い。またさらには、首振動作を行わない転写具や、リフィル交換式ではなく、使い切りであるディスポーサブルタイプの転写具に対しても、勿論本発明を適用することが可能である。
【００４９】
また、上記実施形態の構成から、第１部材と第２部材を反対に構成する、すなわち、受入隙間を転写具本体側に適用したものであっても良い。特に上記実施形態では支点部材の先端縁を湾曲面とするとともに、図示したような曲面状に形成した凹陥部の両端を先端縁に適宜係り合わせることで第１部材と第２部材との間の滑らかなローリング軸回りの動作を実現している通り、支点部材に対して当接する挿入壁や凹陥部の形状の方を適宜設定することにより、ローリング軸周りの所要の動作を実現したものであっても良い。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の一実施形態に係る転写具を示す外観図。
【図２】同転写具を示す分解図。
【図３】同転写具の転写ヘッドの動作を示す動作説明図。
【図４】同転写具の要部を示す構成説明図。
【図５】同要部の中央断面図。
【図６】図５に係るＩ−Ｉ線及びＩＩ−ＩＩ線断面図。
【図７】図６に係る動作説明図。
【図８】同上。
【符号の説明】
【００５２】
Ａ…転写具
１…転写具本体
１３２…挿入壁
１３２ａ…凹陥部
１３…第２部材、動作アーム（動作アーム）
１３３…外壁
１４…交換部品（リフィル）
２…転写ヘッド
２２…第1部材（ヘッド取付部）
２２１…受入隙間
２２１ａ、２２１ｂ…内側面
２２２…支点部材
２２２ａ…先端縁
２２３…抜止要素
Ｒ…ローリング軸
Ｔ…転写位置
Ｓ…収容位置
Ｘ…支持機構
【図１】
2010023264.tif 000003
【図２】
2010023264.tif 000004
【図３】
2010023264.tif 000005
【図４】
2010023264.tif 000006
【図５】
2010023264.tif 000007
【図６】
2010023264.tif 000008
【図７】
2010023264.tif 000009
【図８】
2010023264.tif 000010